(57)【要約】【課題】外観品質の低下が抑制された時計を提供する。【解決手段】時計は、回転軸を中心とする回転方向に回転する秒針５ｃと、秒針５ｃを視認可能とする透光性の基材２０に配置される吸光性のソーラー発電部３０であって、回転方向の全域において回転方向に直交または平行に延びるソーラー発電部３０と、を備える。ソーラー発電部３０は、回転軸を中心として径方向に沿って放射状に延びる直線部３１を有する。直線部３１は、複数本設けられている。複数本の直線部３１は、回転方向に等角度間隔で配置されている。【選択図】図３
2019148447.tif 000002
【特許請求の範囲】
【請求項１】
回転軸を中心とする回転方向に回転する指針と、
前記指針を視認可能とする透光性の基材に配置される吸光性のソーラー発電部であって、前記回転方向の全域において前記回転方向に直交または平行に延びるソーラー発電部と、
を備える時計。
【請求項２】
前記ソーラー発電部は、前記回転軸を中心として径方向に沿って放射状に延びる直線部を有する、
請求項１に記載の時計。
【請求項３】
前記直線部は、複数本設けられ、
前記複数本の直線部は、前記回転方向に等角度間隔で配置されている、
請求項２に記載の時計。
【請求項４】
前記複数本の直線部は、前記回転方向に、前記指針の１ステップ分の運針角度を自然数で割った角度間隔で配置されている、
請求項３に記載の時計。
【請求項５】
前記ソーラー発電部は、前記回転方向に沿って円弧状に延びる円弧部を有する、
請求項１に記載の時計。
【請求項６】
前記ソーラー発電部は、
前記回転軸から径方向外側に向く方向に沿って放射状に延びる直線部と、
前記回転方向に沿って円弧状に延び、前記直線部と結合する円弧部と、
を備える、
請求項１に記載の時計。
【請求項７】
前記指針は、前記回転軸の中心軸線を中心として径方向外側に向かって突出するとともに前記回転方向に延びる鍔部を備え、
前記ソーラー発電部は、前記回転軸の軸方向から見て、前記鍔部の外周縁に沿って延びる中心部を備える、
請求項１に記載の時計。
【請求項８】
前記ソーラー発電部の幅は、前記指針の幅よりも狭い、
請求項１から請求項７のいずれか１項に記載の時計。
【請求項９】
前記ソーラー発電部は、複数本設けられ、
隣り合う前記ソーラー発電部の間隔は、前記ソーラー発電部の幅よりも広い、
請求項１から請求項７のいずれか１項に記載の時計。
【請求項１０】
前記ソーラー発電部は、複数本設けられ、
隣り合う前記ソーラー発電部の間隔は、前記指針の幅よりも狭い、
請求項９に記載の時計。
【請求項１１】
前記ソーラー発電部を挟んで前記指針とは反対側に設けられ、時計の見切りを画定する外周部と、
前記基材に配置され、前記ソーラー発電部と前記ソーラー発電部から電力を取り出すための端子とを導通する配線部と、
を備え、
前記配線部の少なくとも一部は、前記回転軸の軸方向から見て、前記外周部に重なる、
請求項１に記載の時計。
【請求項１２】
前記ソーラー発電部を挟んで前記指針とは反対側に設けられ、時計の見切りを画定する外周部と、
前記ソーラー発電部と導通する配線を備えた基板と、
を備え、
前記ソーラー発電部と前記基板との導通部の少なくとも一部は、前記回転軸の軸方向から見て、前記外周部に重なる、
請求項１に記載の時計。
【請求項１３】
前記ソーラー発電部を挟んで前記指針とは反対側に設けられ、時計の見切りを画定する外周部と、
前記基材に配置され、前記ソーラー発電部と前記ソーラー発電部から電力を取り出すための端子とを導通し、遮光性を有する配線部と、
を備え、
前記ソーラー発電部は、遮光性を有する電極層を備え、
前記配線部は、前記回転軸の軸方向から見て、前記電極層との間に隙間をあけて設けられ、
前記配線部と前記電極層との隙間は、前記回転軸の軸方向から見て、前記外周部に重なる、
請求項１に記載の時計。
【請求項１４】
前記指針は、秒針である、
請求項１に記載の時計。
【発明の詳細な説明】
【技術分野】
【０００１】
本発明は、時計に関するものである。
【背景技術】
【０００２】
従来、外部から光を受けて発電可能なソーラーパネルを備えた時計がある。一般に、ソーラーパネルは濃紫色を呈しているので、ソーラーパネルを備えた時計にあっては、ソーラーパネルの色調が視認されることによって外観品質が低下する場合がある。このため、時計にソーラーパネルを設けたことによる外観品質の低下を抑制する技術が開発されている（例えば、特許文献１から特許文献４参照）。
【０００３】
特許文献１には、透明基板を基材として透明基板に直線状の光発電セルが平行に複数本形成された太陽電池を風防ガラスの下に設けた時計が記載されている。
特許文献２には、文字板に複数の開口部が指針の回転中心を中心として放射状に開設してあり、太陽電池は、文字板の開口部より大きく文字板の背面側より開口部のそれぞれから露見する状態で取付けてあり、文字板の開口部間には、太陽電池の筋目模様に略連続する模様を有するカムフラージュパターンが太陽電池の色と略同じ色で形成してある時計が記載されている。
【０００４】
特許文献３には、透光性文字板の下面に少なくとも１個のソーラーセルを配設し、該ソーラーセルを配設した領域を除く非ソーラーセル領域に、ソーラーセルと同色調の色調調和部材を透光性文字板の下面側に備えた時計用文字板が記載されている。
特許文献４には、膜形成のための透明な基板と、この基板の太陽電池側の面に形成されており、入射光の一部を太陽電池側に透過する金属薄膜と、を備えた時計用文字盤が記載されている。
【先行技術文献】
【特許文献】
【０００５】
【特許文献１】特許第４６０７２７７号公報
【特許文献２】特許第３４８８８２９号公報
【特許文献３】特開２００２−２２１５８１号公報
【特許文献４】特開平１０−２８２２５３号公報
【発明の概要】
【発明が解決しようとする課題】
【０００６】
しかしながら、特許文献１に記載の技術にあっては、指針の表面に光発電セルの線状の模様が映り込み、その模様が指針の回転位置によって変化する。また、特許文献２および特許文献３に記載の技術にあっては、文字板を太陽電池と同色調に形成するため、文字板の色彩に制約が生じる。また、特許文献４に記載の技術にあっては、金属薄膜が透明な基板を介して視認されるので、金属材料により形成された文字板と同等の質感は得られない。したがって、ソーラー発電部を備える時計において、外観品質の低下を抑制するという点で改善の余地がある。
【０００７】
そこで本発明は、外観品質の低下が抑制された時計を提供するものである。
【課題を解決するための手段】
【０００８】
本発明の時計は、回転軸を中心とする回転方向に回転する指針と、前記指針を視認可能とする透光性の基材に配置される吸光性のソーラー発電部であって、前記回転方向の全域において前記回転方向に直交または平行に延びるソーラー発電部と、を備えることを特徴とする。
【０００９】
上記の時計において、前記ソーラー発電部は、前記回転軸を中心として径方向に沿って放射状に延びる直線部を有する、ことが望ましい。
【００１０】
上記の時計において、前記直線部は、複数本設けられ、前記複数本の直線部は、前記回転方向に等角度間隔で配置されている、ことが望ましい。
【００１１】
上記の時計において、前記複数本の直線部は、前記回転方向に、前記指針の１ステップ分の運針角度を自然数で割った角度間隔で配置されている、ことが望ましい。
【００１２】
上記の時計において、前記ソーラー発電部は、前記回転方向に沿って円弧状に延びる円弧部を有する、ことが望ましい。
【００１３】
上記の時計において、前記ソーラー発電部は、前記回転軸から径方向外側に向く方向に沿って放射状に延びる直線部と、前記回転方向に沿って円弧状に延び、前記直線部と結合する円弧部と、を備える、ことが望ましい。
【００１４】
上記の時計において、前記指針は、前記回転軸の中心軸線を中心として径方向外側に向かって突出するとともに前記回転方向に延びる鍔部を備え、前記ソーラー発電部は、前記回転軸の軸方向から見て、前記鍔部の外周縁に沿って延びる中心部を備える、ことが望ましい。
【００１５】
上記の時計において、前記ソーラー発電部の幅は、前記指針の幅よりも狭い、ことが望ましい。
【００１６】
上記の時計において、前記ソーラー発電部は、複数本設けられ、隣り合う前記ソーラー発電部の間隔は、前記ソーラー発電部の幅よりも広い、ことが望ましい。
【００１７】
上記の時計において、前記ソーラー発電部は、複数本設けられ、隣り合う前記ソーラー発電部の間隔は、前記指針の幅よりも狭い、ことが望ましい。
【００１８】
上記の時計において、前記ソーラー発電部を挟んで前記指針とは反対側に設けられ、時計の見切りを画定する外周部と、前記基材に配置され、前記ソーラー発電部と前記ソーラー発電部から電力を取り出すための端子とを導通する配線部と、を備え、前記配線部の少なくとも一部は、前記回転軸の軸方向から見て、前記外周部に重なる、ことが望ましい。
【００１９】
上記の時計において、前記ソーラー発電部を挟んで前記指針とは反対側に設けられ、時計の見切りを画定する外周部と、前記ソーラー発電部と導通する配線を備えた基板と、を備え、前記ソーラー発電部と前記基板との導通部の少なくとも一部は、前記回転軸の軸方向から見て、前記外周部に重なる、ことが望ましい。
【００２０】
上記の時計において、前記ソーラー発電部を挟んで前記指針とは反対側に設けられ、時計の見切りを画定する外周部と、前記基材に配置され、前記ソーラー発電部と前記ソーラー発電部から電力を取り出すための端子とを導通し、遮光性を有する配線部と、を備え、前記ソーラー発電部は、遮光性を有する電極層を備え、前記配線部は、前記回転軸の軸方向から見て、前記電極層との間に隙間をあけて設けられ、前記配線部と前記電極層との隙間は、前記回転軸の軸方向から見て、前記外周部に重なる、ことが望ましい。
【００２１】
上記の時計において、前記指針は、秒針である、ことが望ましい。
【発明の効果】
【００２２】
本発明によれば、外観品質の低下が抑制された時計を提供することができる。
【図面の簡単な説明】
【００２３】
【図１】第１実施形態の時計の外観図である。
【図２】図１のＩＩ−ＩＩ線における断面図である。
【図３】第１実施形態のソーラーパネルを裏側から見た底面図である。
【図４】第１実施形態のソーラーパネルの断面図である。
【図５】第１実施形態の変形例の時計を説明する図であって、図１のＩＩ−ＩＩ線に相当する部分における断面図である。
【図６】第２実施形態のソーラーパネルを裏側から見た底面図である。
【図７】第３実施形態のソーラーパネルを裏側から見た底面図である。
【発明を実施するための形態】
【００２４】
以下、本発明の実施形態を図面に基づいて説明する。なお以下の説明では、同一または類似の機能を有する構成に同一の符号を付す。そして、それら構成の重複する説明は省略する場合がある。
【００２５】
［第１実施形態］
図１は、第１実施形態の時計の外観図である。
図１に示すように、時計１は、アナログ式電子時計であって、時計ケース２内に、ムーブメント３と、文字板４と、時針５ａと、分針５ｂと、秒針５ｃ（指針）と、ソーラーパネル６と、を備えている。時計ケース２は、胴１０、裏蓋（不図示）および風防ガラス１１により形成されている。胴１０は、両端が開口した円筒状に形成されている。裏蓋は、胴１０の一端部の開口を閉塞するように配置されている。風防ガラス１１は、胴１０の他端部の開口を閉塞するように設けられている。時計ケース２の側方には、操作部１２が設けられている。図示の例では、操作部１２は、りゅうず１２ａと、一対のスイッチ１２ｂと、を含む。操作部１２は、例えば時刻修正や機能切替等に用いられる。なお、以下の説明では、裏蓋に対する風防ガラス１１側を「表側」と称し、その反対側を「裏側」と称する。
【００２６】
図２は、図１のＩＩ−ＩＩ線における断面図である。
図２に示すように、胴１０の内周面には、胴１０の径方向の内側に向かって突出する第１台座部１４および第２台座部１５が形成されている。第１台座部１４および第２台座部１５は、胴１０の周方向に延びている。第１台座部１４は、胴１０の表側の端縁よりも裏側に設けられている。第２台座部１５は、第１台座部１４よりも裏側に設けられ、第１台座部１４と連なっている。第２台座部１５は、第１台座部１４よりも胴１０の径方向の内側に突出している。
【００２７】
風防ガラス１１は、円環状のパッキン１７（外周部）を介して、胴１０の開口内に嵌め込まれている。風防ガラス１１は、胴１０の第１台座部１４における表側に向く段差面上に、パッキン１７を介して配置されている。パッキン１７は、風防ガラス１１の外周縁と胴１０の内周面との間から、風防ガラス１１と第１台座部１４との間を通って、第１台座部１４よりも胴１０の径方向の内側に張り出している。これにより、パッキン１７は、時計の見切りを画定している。
【００２８】
ムーブメント３は、胴１０の第２台座部１５よりも裏側に配置されている。ムーブメント３は、上述した時針５ａ、分針５ｂおよび秒針５ｃが取り付けられる回転軸と、回転軸を駆動するモータと、モータの駆動力を回転軸に伝達する輪列と、モータを制御する回路ブロックと、モータを駆動する電力を供給する二次電池と、を主に備えている（いずれも不図示）。回転軸は、軸線Ｏ（図１参照）を中心軸線として延び、ムーブメント３から表側に向かって突出している。回路ブロックは、後述するソーラー発電部３０と導通する配線やＩＣ、水晶振動子等を備えた基板である。以下の説明では、回転軸の軸方向を単に「軸方向」と称し、回転軸を中心とする回転方向を単に「回転方向」と称し、軸方向および回転方向に直交して回転軸から放射状に延びる方向を「径方向」と称する。
【００２９】
文字板４は、ムーブメント３の回転軸と同軸の円板状に形成されている。文字板４は、ムーブメント３の表側に配置され、風防ガラス１１を通じて視認可能となっている。文字板４の中心には、回転軸が挿通されている。文字板４は、胴１０の第２台座部１５における裏側に向く段差面上に配置され、図示しないねじ等により胴１０に取り付けられている。
【００３０】
時針５ａ、分針５ｂおよび秒針５ｃは、文字板４と風防ガラス１１との間に配置されている。分針５ｂは、時針５ａよりも表側に配置されている。秒針５ｃは、分針５ｂよりも表側に配置されている。時針５ａ、分針５ｂおよび秒針５ｃは、それぞれ回転方向に直交する方向に延びている。図１に示すように、秒針５ｃは、鍔部５ｄを備える。鍔部５ｄは、軸線Ｏを中心として径方向外側に向かって突出するとともに、回転方向に延びる。鍔部５ｄは、軸方向から見て円形状に形成されている。時針５ａ、分針５ｂおよび秒針５ｃは、それぞれ回転方向に回転する。秒針５ｃは、１ステップ毎に所定の運針角度（例えば６°）ずつ回転する。
【００３１】
図３は、第１実施形態のソーラーパネルを裏側から見た底面図である。なお、図３では、見やすくするために後述する直線部３１を間引いて図示している。また、図３では、時針５ａ、分針５ｂおよび秒針５ｃを２点鎖線で示している。
図３に示すように、ソーラーパネル６は、外部から光を受けて発電する。ソーラーパネル６は、発電した電力をムーブメント３に供給する。ソーラーパネル６は、透光性の基材２０と、基材２０に配置された吸光性のソーラー発電部３０と、基材２０に配置された一対の配線部４０Ａ，４０Ｂと、を備える。
【００３２】
図２に示すように、基材２０は、ムーブメント３の回転軸と同軸の円板状に形成されている。基材２０は、時針５ａ、分針５ｂおよび秒針５ｃを挟んで文字板４とは反対側に配置されている。本実施形態では、基材２０は、秒針５ｃと風防ガラス１１との間に配置されている。
【００３３】
基材２０は、胴１０の第１台座部１４の内側に配置され、第２台座部１５における表側に向く段差面上に配置されている。基材２０の外周部は、表側から見てパッキン１７により覆われている。基材２０は、例えばガラスやアクリル等の透光性を有する材料により形成されている。これにより、基材２０は、時針５ａ、分針５ｂ、秒針５ｃおよび文字板４を視認可能としている。
【００３４】
図３に示すように、ソーラー発電部３０は、一定の幅で延びる細線状に形成されている。ソーラー発電部３０は、回転方向の全域において回転方向に直交または平行に延びている。ソーラー発電部３０は、軸線Ｏを中心として径方向に沿って放射状に延びる複数本の直線部３１と、複数本の直線部３１における径方向内側の端部に接続する中心接続部３２（中心部）と、を備える。中心接続部３２は、円環状に形成されている。中心接続部３２は、軸方向から見て、秒針５ｃの鍔部５ｄの外周縁に沿って回転方向に平行に延びている。中心接続部３２の幅は、秒針５ｃにおいて最も幅の狭い部分の幅よりも狭い。
【００３５】
複数本の直線部３１は、中心接続部３２に結合している。複数本の直線部３１は、中心接続部３２から径方向外側に向かって、回転方向に直交して延びている。直線部３１の幅は、秒針５ｃにおいて最も幅の狭い部分の幅よりも狭く、中心接続部３２の幅と等しい。各直線部３１の径方向外側の端部は、軸方向から見てパッキン１７（図２参照）に重なっている。これにより、各直線部３１の径方向外側の端部は、表側から見てパッキン１７により覆われている。複数本の直線部３１は、回転方向に等角度間隔で配置されている。複数本の直線部３１は、回転方向に、秒針５ｃの１ステップ分の運針角度を自然数で割った角度間隔で配置されている。隣り合う直線部３１の間隔は、直線部３１の幅よりも広い。隣り合う直線部３１の間隔は、少なくとも一部において秒針５ｃの幅よりも狭い。
【００３６】
図４は、第１実施形態のソーラーパネルのソーラー発電部を通る位置における断面図である。なお、図４では、ソーラーパネル６とパッキン１７との位置関係を表すために、パッキン１７を二点鎖線で示している。
図４に示すように、ソーラー発電部３０は、基材２０の裏面上に配置されている。ソーラー発電部３０は、透明電極層３４と、光電変換層３５と、反射電極層３６と、がこの順に基材２０上に積層されることにより形成されている。透明電極層３４は、例えばＩＴＯ、ＳｎＯ２等により形成された透明導電膜である。透明電極層３４は、ソーラー発電部３０の正極側の電極を構成している。光電変換層３５は、ｐ型アモルファスシリコン層３５ａと、ｉ型アモルファスシリコン層３５ｂと、ｎ型アモルファスシリコン層３５ｃと、がこの順に透明電極層３４上に積層されることにより形成されている。反射電極層３６は、例えばアルミニウムや銀、チタン等の金属材料により形成され、遮光性を有している。反射電極層３６は、ソーラー発電部３０の負極側の電極を構成している。
【００３７】
図３に示すように、一対の配線部４０Ａ，４０Ｂは、負極側配線部４０Ａと、正極側配線部４０Ｂと、である。負極側配線部４０Ａは、ソーラー発電部３０の反射電極層３６に導通して、ソーラー発電部３０よりも径方向の外側において基材２０上を引き回された配線である。正極側配線部４０Ｂは、ソーラー発電部３０の透明電極層３４に導通して、ソーラー発電部３０よりも径方向の外側において基材２０上を引き回された配線である。
【００３８】
一対の配線部４０Ａ，４０Ｂは、基材２０の外周縁に沿って配置されている。一対の配線部４０Ａ，４０Ｂは、軸方向から見てパッキン１７（図２参照）に重なっている。これにより、一対の配線部４０Ａ，４０Ｂは、表側から見てパッキン１７により覆われている。一対の配線部４０Ａ，４０Ｂは、周方向に延び、互いに間隔をあけて設けられている。一対の配線部４０Ａ，４０Ｂは、それぞれ回転方向に１８０°よりも小さい角度範囲内で延びている。
【００３９】
一対の配線部４０Ａ，４０Ｂの幅は、ソーラー発電部３０の幅よりも広い。負極側配線部４０Ａは、少なくとも１本の直線部３１の径方向外側の端部に電気的に接続している。本実施形態では、負極側配線部４０Ａは、回転方向において負極側配線部４０Ａと同じ位置に位置する複数本の直線部３１に電気的に接続している。正極側配線部４０Ｂは、少なくとも１本の直線部３１の径方向外側の端部に電気的に接続している。本実施形態では、正極側配線部４０Ｂは、回転方向において正極側配線部４０Ｂと同じ位置に位置する複数本の直線部３１の径方向外側の端部に電気的に接続している。一対の配線部４０Ａ，４０Ｂのそれぞれには、周方向における端部に、ソーラー発電部３０から電力を取り出すための端子４３が形成されている。すなわち、一対の配線部４０Ａ，４０Ｂは、ソーラー発電部３０と、ソーラー発電部３０から電力を取り出すための端子４３と、を導通している。
【００４０】
図４に示すように、一対の配線部４０Ａ，４０Ｂは、基材２０の裏側に配置されている。一対の配線部４０Ａ，４０Ｂは、遮光性を有する金属材料により形成されている。一対の配線部４０Ａ，４０Ｂは、例えばソーラー発電部３０の反射電極層３６と同時に成膜された金属層である。図示の例では、一対の配線部４０Ａ，４０Ｂは、ソーラー発電部３０の光電変換層３５から延びた光電変換層３５と同一の構成を有する層上に形成されている。負極側配線部４０Ａは、ソーラー発電部３０の反射電極層３６と連なっている。正正極側配線部４０Ｂは、ソーラー発電部３０の反射電極層３６との間に隙間Ｇをあけて設けられている。正極側配線部４０Ｂと反射電極層３６との隙間Ｇは、軸方向から見てパッキン１７に重なっている。これにより正極側配線部４０Ｂと反射電極層３６との隙間Ｇは、表側から見てパッキン１７により覆われている。正極側配線部４０Ｂは、ソーラー発電部３０の透明電極層３４に電気的に接続している。
【００４１】
なお、ソーラー発電部３０および一対の配線部４０Ａ，４０Ｂは、保護膜により被覆されていてもよい。この場合には、一対の配線部４０Ａ，４０Ｂそれぞれの一部を保護膜から露出させることによって、端子４３を形成できる。
【００４２】
図２に示すように、ソーラーパネル６の端子４３には、それぞれ裏側から接点ばね７（導通部）が圧接している。接点ばね７は、配線部４０Ａ，４０Ｂを介してソーラー発電部３０（図３参照）に導通している。また、接点ばね７は、表側からムーブメント３の回路ブロックに圧接している。これにより、接点ばね７は、ソーラー発電部３０と回路ブロックとを導通し、ソーラー発電部３０から出力された電力を回路ブロックに供給している。接点ばね７は、軸方向から見てパッキン１７に重なっている。これにより、接点ばね７は、表側から見てパッキン１７により覆われている。
【００４３】
以上に詳述したように、本実施形態の時計１は、秒針５ｃを視認可能とする透光性の基材２０に配置される吸光性のソーラー発電部３０であって、回転方向の全域において回転方向に直交または平行に延びるソーラー発電部３０を備える。この構成によれば、ソーラー発電部３０が回転方向の全域において回転方向に直交または平行に延びるので、秒針５ｃに対するソーラー発電部３０の相対位置の変化が抑制される。すなわち、ソーラー発電部が回転方向に対して斜めに伸びた場合のように、軸方向から見て秒針５ｃに重なるソーラー発電部の位置が変化することを抑制できる。これにより、秒針５ｃの表面に映り込むソーラー発電部３０の模様が秒針５ｃの回転位置によって変化することを抑制できる。したがって、外観品質の低下が抑制された時計１を提供できる。
【００４４】
また、ソーラー発電部３０が透光性の基材２０に配置されるので、ユーザーに基材２０を介して文字板４の色調をそのまま視認させることができる。したがって、文字板４の色彩に制約が生じることを回避でき、時計１の外観品質の低下を抑制できる。
【００４５】
また、ソーラー発電部３０は、径方向に沿って放射状に延びる直線部３１を有する。この構成によれば、軸方向から見て秒針５ｃと重なる直線部３１は、秒針５ｃの回転位置によらず秒針５ｃと平行となる。このため、秒針５ｃの表面に映り込むソーラー発電部３０の模様が秒針５ｃの回転位置によって変化することを抑制できる。
【００４６】
また、複数本の直線部３１は、回転方向に等角度間隔で配置されている。この構成によれば、回転方向において直線部３１の密度が均一になる。このため、秒針５ｃの表面に映り込むソーラー発電部３０の模様に濃淡が生じることを抑制できる。したがって、時計１の外観品質の低下を抑制できる。
【００４７】
また、複数本の直線部３１は、回転方向に、秒針５ｃの１ステップ分の運針角度を自然数で割った角度間隔で配置されている。この構成によれば、秒針５ｃの１ステップ運針毎の静止時において、軸方向から見た秒針５ｃと直線部３１との位置関係が等しくなる。これにより、秒針５ｃの表面に映り込む直線部３１の模様は、秒針５ｃがいずれの位置に静止していても同じになる。したがって、時計１の外観品質の低下を抑制できる。
【００４８】
また、秒針５ｃは、軸線Ｏを中心として径方向外側に向かって突出するとともに回転方向に延びる鍔部５ｄを備える。ソーラー発電部３０は、軸方向から見て鍔部５ｄの外周縁に沿って延びる中心接続部３２を備える。この構成によれば、軸方向から見て中心接続部３２が秒針５ｃの鍔部５ｄに重なるように配置されるので、中心接続部３２を目立たなく配置することができる。したがって、時計１の外観品質の低下を抑制できる。
【００４９】
さらに、中心接続部３２は、複数の直線部３１における径方向内側の端部に接続している。この構成によれば、軸方向から見て複数の直線部が軸線Ｏ上で交差してソーラー発電部が高密度に配置されることを抑制できる。したがって、時計１の外観品質の低下を抑制できる。
【００５０】
また、直線部３１の幅は、秒針５ｃの幅よりも狭い。この構成によれば、直線部の幅が秒針５ｃの幅よりも広い場合と比較して、秒針５ｃの表面に映り込むソーラー発電部３０の面積を低減できる。したがって、時計１の外観品質の低下を抑制できる。
【００５１】
また、隣り合う直線部３１の間隔は、直線部３１の幅よりも広い。この構成によれば、隣り合う直線部３１の間隔が直線部３１の幅よりも狭い場合と比較して、秒針５ｃの表面に映り込むソーラー発電部３０の面積を低減できる。したがって、時計１の外観品質の低下を抑制できる。
【００５２】
また、隣り合う直線部３１の間隔は、秒針５ｃの幅よりも狭い。この構成によれば、秒針５ｃの回転位置によらず、軸方向から見て秒針５ｃに少なくとも一本の直線部３１が重なる。このため、秒針５ｃの表面に映り込むソーラー発電部３０の模様が秒針５ｃの回転位置によって変化することを抑制できる。
【００５３】
また、一対の配線部４０Ａ，４０Ｂは、軸方向から見てパッキン１７に重なっている。この構成によれば、配線部４０Ａ，４０Ｂを幅広に形成した場合であっても、ユーザーに見えないようにパッキン１７によって配線部４０Ａ，４０Ｂを遮蔽することができる。したがって、時計１の外観品質の低下を抑制できる。
【００５４】
また、ソーラー発電部３０とムーブメント３の回路ブロックとを導通する接点ばね７は、軸方向から見てパッキン１７に重なっている。この構成によれば、ユーザーに見えないようにパッキン１７によって接点ばね７を遮蔽することができる。したがって、時計１の外観品質の低下を抑制できる。
【００５５】
また、正極側配線部４０Ｂと、ソーラー発電部３０の反射電極層３６と、の隙間Ｇは、軸方向から見てパッキン１７に重なっている。この構成によれば、ソーラー発電部３０が軸方向から見てパッキン１７と重なる位置まで延びるので、外光が入射する領域にソーラー発電部３０をより広く配置できる。したがって、ソーラー発電部３０によって効率よく発電することができる。
【００５６】
また、秒針５ｃは、時針５ａおよび分針５ｂと比較して、時計１の通常運針時に回転速度が速いので、時針５ａおよび分針５ｂと比較して、表面に映り込むソーラー発電部３０の模様の変化がユーザーに認識されやすくなる。よって、秒針５ｃの表面に映り込むソーラー発電部３０の模様の変化を抑制することで、時計１の外観品質の低下を効果的に抑制できる。
【００５７】
なお、上記実施形態では、一対の配線部４０Ａ，４０Ｂの全体が軸方向から見てパッキン１７に重なっているが、これに限定されない。すなわち、配線部の少なくとも一部が軸方向から見てパッキン１７に重なっていればよい。これにより、配線部の全体が軸方向から見てパッキン１７に重なっていない場合と比較して、ユーザーに視認される配線部の面積を小さくなるので、上述した効果を奏することができる。接点ばね７についても同様である。
【００５８】
また、上記実施形態では、複数本の直線部３１が秒針５ｃの１ステップ分の運針角度を自然数で割った角度間隔で配置されているが、これに限定されない。複数本の直線部は、秒針５ｃの１ステップ分の運針角度よりも大きい角度間隔で配置されていてもよい。
【００５９】
また、上記実施形態では、ソーラーパネル６の端子４３と、ムーブメント３の回路ブロックと、は接点ばね７によって導通しているが、これに限定されない。以下、端子４３と回路ブロックとの導通構造の変形例について、図５を参照して説明する。
【００６０】
図５は、第１実施形態の変形例の時計を説明する図であって、図１のＩＩ−ＩＩ線に相当する部分における断面図である。
図５に示すように、時計ケース２の胴１０の内周面には、胴１０の径方向の内側に向かって突出する台座部１６が形成されている。台座部１６は、胴１０の周方向に延びている。台座部１６は、胴１０の表側の端縁よりも裏側に設けられている。
【００６１】
風防ガラス１１は、円環状のパッキン１７（外周部）を介して、胴１０の開口内に嵌め込まれている。風防ガラス１１は、胴１０の台座部１６における表側に向く段差面上に、パッキン１７を介して配置されている。パッキン１７は、風防ガラス１１の外周縁と胴１０の内周面との間から、風防ガラス１１と第１台座部１４との間に延びている。なお、パッキン１７は、台座部１６の内周縁よりも胴１０の径方向の外側まで延びていてもよいし、少なくとも台座部１６の全体と重なるように延びていてもよい。パッキン１７が台座部１６の内周縁よりも胴１０の径方向の外側まで延びている場合、台座部１６が時計の見切りを画定している。パッキン１７が少なくとも台座部１６の全体と重なるように延びている場合、パッキン１７が時計の見切りを画定している。本実施形態では、パッキン１７は、台座部１６の全体と重なるように延びている。
【００６２】
ソーラーパネル６の基材２０は、胴１０の台座部１６における裏側に向く段差面上に配置されている。図示の例では、基材２０の外周部は、表側から見てパッキン１７により覆われている。ソーラーパネル６と文字板４との間には、スペーサー１９が配置されている。スペーサー１９は、軸方向から見てパッキン１７に重なっている。これにより、スペーサー１９は、表側から見てパッキン１７により覆われている。
【００６３】
ソーラーパネル６の端子４３には、それぞれフレキシブルプリント基板８（導通部）が接続している。フレキシブルプリント基板８は、配線部４０Ａ，４０Ｂを介してソーラー発電部３０（図３参照）に導通している。また、フレキシブルプリント基板８は、スペーサー１９および文字板４を胴１０の径方向外側から迂回して延び、ムーブメント３の回路ブロックに接続している。これにより、フレキシブルプリント基板８は、ソーラー発電部３０と回路ブロックとを導通し、ソーラー発電部３０から出力された電力を回路ブロックに供給している。フレキシブルプリント基板８は、軸方向から見てパッキン１７に重なっている。これにより、フレキシブルプリント基板８は、表側から見てパッキン１７により覆われている。
【００６４】
このように、フレキシブルプリント基板８は、軸方向から見てパッキン１７に重なっているので、ユーザーに見えないようにパッキン１７によってフレキシブルプリント基板８を遮蔽することができる。したがって、時計１の外観品質の低下を抑制できる。
【００６５】
［第２実施形態］
続いて、第２実施形態の時計１が有するソーラーパネル１０６について説明する。なお、以下で説明する以外の構成は、第１実施形態と同様である。
【００６６】
図６は、第２実施形態のソーラーパネルを裏側から見た底面図である。なお、図６では、見やすくするために後述する円弧部１３３を間引いて図示している。また、図６では、時針５ａ、分針５ｂおよび秒針５ｃを２点鎖線で示している。
図６に示すように、ソーラーパネル１０６は、透光性の基材２０と、基材２０に配置された吸光性のソーラー発電部１３０と、基材２０に配置された一対の配線部４０Ａ，４０Ｂと、を備える。
【００６７】
ソーラー発電部１３０は、一定の幅で延びる細線状に形成されている。ソーラー発電部１３０は、回転方向の全域において回転方向に直交または平行に延びている。ソーラー発電部１３０は、径方向に沿って延びる一対の直線部１３１と、回転方向に沿って円弧状に延び直線部１３１と結合する複数本の円弧部１３３と、中心接続部３２と、を備える。
【００６８】
一対の直線部１３１は、中心接続部３２に結合している。一対の直線部１３１は、中心接続部３２から径方向外側に向かって、回転方向に直交して延びている。第１の直線部１３１は、負極側配線部４０Ａに向かって延びている。第２の直線部１３１は、正極側配線部４０Ｂに向かって延びている。直線部１３１の幅は、秒針５ｃにおいて最も幅の狭い部分の幅よりも狭く、中心接続部３２の幅と等しい。一対の直線部１３１は、回転方向で１８０°ずれて配置されている。
【００６９】
複数本の円弧部１３３は、それぞれ第１の直線部１３１から回転方向の両側に延びて、第２の直線部１３１に接続している。これにより、複数本の円弧部１３３のそれぞれは、円環状に延びている。円弧部１３３の幅は、秒針５ｃにおいて最も幅の狭い部分の幅よりも狭く、直線部１３１の幅と等しい。複数本の円弧部１３３は、径方向に等間隔で配置されている。隣り合う円弧部１３３の間隔は、円弧部１３３の幅よりも広い。隣り合う円弧部１３３の間隔は、秒針５ｃの幅よりも広い。
【００７０】
以上に詳述したように、本実施形態では、ソーラー発電部１３０が回転方向に沿って円弧状に延びる円弧部１３３を有する。この構成によれば、円弧部１３３は、秒針５ｃの回転位置によらず軸方向から見て常に秒針５ｃにおける同じ位置で重なる。このため、秒針５ｃの表面に映り込むソーラー発電部１３０の模様が秒針５ｃの回転位置によって変化することを抑制できる。したがって、時計１の外観品質の低下を抑制できる。
【００７１】
［第３実施形態］
続いて、第３実施形態の時計１が有するソーラーパネル２０６について説明する。なお、以下で説明する以外の構成は、第２実施形態と同様である。
【００７２】
図７は、第３実施形態のソーラーパネルを裏側から見た底面図である。なお、図７では、時針５ａ、分針５ｂおよび秒針５ｃを２点鎖線で示している。
図７に示すように、ソーラーパネル２０６は、透光性の基材２０と、基材２０に配置された吸光性のソーラー発電部２３０と、基材２０に配置された一対の配線部４０Ａ，４０Ｂと、を備える。
【００７３】
ソーラー発電部２３０は、一定の幅で延びる細線状に形成されている。ソーラー発電部２３０は、回転方向の全域において回転方向に直交または平行に延びている。ソーラー発電部２３０は、軸線Ｏを中心として径方向に沿って放射状に延びる複数本の直線部２３１と、直線部２３１と結合する円弧部１３３と、中心接続部３２と、を備える。
【００７４】
複数本の直線部２３１は、回転方向に直交して延びている。直線部２３１の幅は、秒針５ｃにおいて最も幅の狭い部分の幅よりも狭く、中心接続部３２の幅と等しい。複数本の直線部２３１は、隣り合う一対の円弧部１３３、最外周の円弧部１３３および配線部４０Ａ，４０Ｂ、または最内周の円弧部１３３および中心接続部３２を接続するように延びている。図示の例では、最外周の円弧部１３３および配線部４０Ａ，４０Ｂを接続する直線部２３１、並びに最内周の円弧部１３３および中心接続部３２を接続する直線部２３１は、それぞれ一対設けられている。隣り合う一対の円弧部１３３を接続する直線部２３１は、それぞれ４本設けられている。径方向におけるそれぞれの位置において、複数本の直線部２３１は、回転方向に等角度間隔で配置されている。複数本の直線部２３１は、円弧部１３３を挟んだ径方向の内側と外側とで、回転方向における位置が相違するように設けられている。図示の例では、径方向で隣り合う直線部２３１は、互いに回転方向に４５°ずれて設けられている。
【００７５】
以上に詳述したように、本実施形態では、ソーラー発電部１３０は、径方向に沿って放射状に延びる直線部２３１と、回転方向に沿って円弧状に延びる円弧部１３３と、を有する。この構成によれば、第１実施形態および第２実施形態と同様に、秒針５ｃの表面に映り込むソーラー発電部２３０の模様の変化が秒針５ｃの回転位置によって変化することを抑制できる。したがって、時計１の外観品質の低下を抑制できる。
【００７６】
なお、本発明は、図面を参照して説明した上述の実施形態に限定されるものではなく、その技術的範囲において様々な変形例が考えられる。
例えば、上記実施形態では、ソーラー発電部３０，１３０，２３０が基材２０の裏側に配置されているが、これに限定されず、基材の表側に配置されていてもよい。また、ソーラー発電部は、風防ガラスに配置されていてもよいし、基材とともに風防ガラスよりも外側に配置されていてもよい。
【００７７】
また、上記実施形態では、パッキン１７によって時計の見切りを画定しているが、これに限定されない。例えばベゼル等によって時計の見切りを画定し、配線部４０Ａ，４０Ｂが軸方向から見てベゼルに重なるように設けられていてもよい。
【００７８】
また、上記実施形態では、軸方向から見て秒針５ｃの回転軌跡に重なる領域に設けられたソーラー発電部３０，１３０，２３０について説明したが、本発明の適用範囲はこれに限定されない。例えば、時計が時針、分針および秒針以外の小針（例えばクロノグラフ針等）を備え、軸方向から見て前記小針の回転軌跡と重なる領域に本発明のソーラー発電部を設けてもよい。
【００７９】
その他、本発明の趣旨を逸脱しない範囲で、上記した実施の形態における構成要素を周知の構成要素に置き換えることは適宜可能であり、また、上述した各実施形態および各変形例を適宜組み合わせてもよい。
【符号の説明】
【００８０】
１…時計  ５ｃ…秒針（指針）  ５ｄ…鍔部  ７…接点ばね（導通部）  ８…フレキシブルプリント基板（導通部）  １７…パッキン（外周部）  ３０，１３０，２３０…ソーラー発電部  ３１，１３１，２３１…直線部  ３２…中心接続部  ３６…反射電極層（電極層）  ４０Ａ…負極側配線部（配線部）  ４０Ｂ…正極側配線部（配線部）  ４３…端子  １３３…円弧部  Ｇ…隙間
【図１】
2019148447.tif 000003
【図２】
2019148447.tif 000004
【図３】
2019148447.tif 000005
【図４】
2019148447.tif 000006
【図５】
2019148447.tif 000007
【図６】
2019148447.tif 000008
【図７】
2019148447.tif 000009